(57)【要約】【課題】癒し系の柔らかな雰囲気を醸成可能なコースターを提案することを目的とする。【解決手段】表面に凹部を有するベースと、ベースの凹部に嵌合される導光性を有する透明部材からなるグラス載置部と、グラス載置部の辺縁部からグラス載置部内へ光を入射するように、凹部を形成するベースの内壁面に突出しないように配置された発光ダイオードと、ベースの底面に設けられて、上部からの押圧力によりオンとされて発光ダイオードを発光させるスイッチと、を備えるコースターとする。【選択図】図１
0003202126.tif 000002
【実用新案登録請求の範囲】
【請求項１】
表面に凹部を有するベースと、
前記ベースの前記凹部に嵌合される導光性を有する透明部材からなるグラス載置部と、
前記グラス載置部の辺縁部から前記グラス載置部内へ光を入射するように、前記凹部を形成する前記ベースの内壁面に突出しないように配置された発光ダイオードと、
前記ベースの底面に設けられて、上部からの押圧力によりオンとされて前記発光ダイオードを発光させるスイッチと、
を備えることを特徴とするコースター。
【請求項２】
請求項１に記載のコースターにおいて、
前記ベースの上面と前記グラス載置部の上面とは、面一である
ことを特徴とするコースター。
【請求項３】
請求項１または請求項２に記載のコースターにおいて、
前記グラス載置部は、前記発光ダイオードの光がその箇所で反射または屈折する任意の形状の刻印を備える
ことを特徴とするコースター。
【請求項４】
請求項１乃至請求項３のいずれか一項に記載のコースターにおいて、
前記べースは、その内部に前記発光ダイオードの電源となる電池を収納可能な電池収納部を備える
ことを特徴とするコースター。
【請求項５】
請求項１乃至請求項４のいずれか一項に記載のコースターにおいて、
前記スイッチは、前記グラス載置部に搭載されたグラスの重さによりオンされた場合に、前記ベースの底面と面一となる
ことを特徴とするコースター。
【考案の詳細な説明】
【技術分野】
【０００１】
本考案は、グラス等を載置すると発光ダイオードが発光してイルミネーションとなるコースターに関する。
【背景技術】
【０００２】
グラスやカップ等の飲料容器を載置するコースターは、コップ等を乗せるという機能的側面とともに、見て楽しめることができるような審美的側面やムードを演出することが可能な側面も有することが可能である。
【０００３】
例えば、下記特許文献１には、コースターを発光させ、かつ飲み物の種類に応じて発光する色を変えることを目的とする考案が開示されている。これによれば、従来のコースターは、紙、皮、木等が主で、この表面には店名や商品広告を印刷したものが公知であるところ、飲み物をよりおいしそうに演出できるコースターを提案している。
【先行技術文献】
【特許文献】
【０００４】
【特許文献１】実開平０７−０３０８４８号公報
【考案の概要】
【考案が解決しようとする課題】
【０００５】
コップやグラス等の載置に対応して発光し、かつ、コップ等の飲料容器等を直接的に光源から照射するものではなく、柔らかな癒し系の間接照明的にムードを演出可能な演出光として機能するコースターは従来知られていない。また、コースターの上面に、光により浮かび上がるクリスタル系のような任意の模様が刻印されたものは知られていない。
【０００６】
本考案は、上述のような問題点に鑑み為されたものであって、癒し系の柔らかな雰囲気を醸成可能なコースターを提案することを目的とする。
【課題を解決するための手段】
【０００７】
本考案にかかるコースターは、表面に凹部を有するベースと、ベースの凹部に嵌合される導光性を有する透明部材からなるグラス載置部と、グラス載置部の辺縁部からグラス載置部内へ光を入射するように、凹部を形成するベースの内壁面に突出しないように配置された発光ダイオードと、ベースの底面に設けられて、上部からの押圧力によりオンとされて発光ダイオードを発光させるスイッチと、を備えることを特徴とする。
【考案の効果】
【０００８】
癒し系の柔らかな雰囲気を醸成可能なコースターを実現できる。
【図面の簡単な説明】
【０００９】
【図１】（ａ）は本考案にかかるコースターの全体構成を概念的に説明する斜視図であり、（ｂ）は本考案にかかるコースターの全体構成を概念的に説明する側面図である。
【図２】本考案の第一の実施形態にかかるコースターの正面図である。
【図３】本考案の第一の実施形態にかかるコースターの背面図である。
【図４】本考案の第一の実施形態にかかるコースターの右側面図である。
【図５】本考案の第一の実施形態にかかるコースターの左側面図である。
【図６】本考案の第一の実施形態にかかるコースターの平面図である。
【図７】本考案の第一の実施形態にかかるコースターの底面図である。
【図８】本考案の第一の実施形態にかかるコースターの斜視図である。
【図９】本考案の第一の実施形態にかかるコースターの使用態様を説明する図であり、周囲環境が明るい状態を示すものである。
【図１０】本考案の第一の実施形態にかかるコースターの使用態様を説明する図であり、周囲環境が暗い状態を示すものである。
【図１１】本考案の第二の実施形態を説明する発光ダイオードを消灯した状態の図である。
【図１２】本考案の第二の実施形態を説明する発光ダイオードを点灯した状態の図である。
【考案を実施するための形態】
【００１０】
（第１の実施形態）
図１は、本項案のコースター１０００構成概要を説明するものであり、（ａ）は本考案にかかるコースター１０００の全体構成を概念的に説明する斜視図であり、（ｂ）は本考案にかかるコースター１０００の全体構成を概念的に説明する側面図である。
【００１１】
図１に示すように、木製のベース１１００の上面に設けられた凹部にはガラス製のグラス載置部１２００が面一に嵌め込まれている。凹部を形成するベース１０００の内壁には、複数の発光ダイオード１３００が配置されている。
【００１２】
例えば、凹部の内壁に近接して発光ダイオード１３００を配置する空間を設け、内壁には発光ダイオード１３００からの光が出射可能な程度の比較的小さな孔を空けておくことで、発光ダイオード１３００を目立たなくすることができる。
【００１３】
また、ベース１１００の底面側には電池収納部１４００が設けられており、電池収納部１４００には、スイッチ１４１０と発光ダイオード１３００の電源となる電池１４２０、及び必要な配線回路等が設けられる。
【００１４】
スイッチ１４１０は、自然状態ではベース１１００の底面から少し突出しているが、グラス載置部１２００に搭載されたグラス等の重さにより、押圧されると、底面と面一になるまで陥没してスイッチがオンとなる。これにより、発光ダイオード１３００が点灯する。
【００１５】
発光ダイオード１３００は、その光の出射方向が透明部材からなるグラス載置部１２００内に向けられているので、当該光は、グラス載置部１２００内を屈折や反射を繰り返す経路をたどる。グラス載置部１２００に搭載されたグラスがある場合には、当該光がグラス内部に取り込まれる。さらに、グラス内の飲料や氷等にも当該光が取り込まれるものとなる。
【００１６】
グラスや飲料及び氷等に取り込まれる発光ダイオードの光は、発光ダイオードから直接照射されたものではなく、グラス載置部１２００内を通過し、そこで反射や屈折を経由した光である。このため、グラスや飲料、氷等から煌めくように放たれる光は、あたかも間接照明の光のように、見た目にも柔らかく独特のムードや神秘的な雰囲気を醸し出すことが可能となる。
【００１７】
図２は本考案の第一の実施形態にかかるコースターの正面図であり、図３は本考案の第一の実施形態にかかるコースターの背面図であり、図４は本考案の第一の実施形態にかかるコースターの右側面図であり、図５は本考案の第一の実施形態にかかるコースターの左側面図である。また、図６は本考案の第一の実施形態にかかるコースターの平面図であり、図７は本考案の第一の実施形態にかかるコースターの底面図であり、図８は本考案の第一の実施形態にかかるコースターの斜視図である。
【００１８】
図７に示す底面図から理解できるように、底面側に設けられた電池収納部１４００は、この実施形態では三箇所のネジにより開閉可能とされており、電池１４２０の交換やメインテナンスが可能である。電池収納部１４００は、蝶番を用いた開閉機能としてもよく、その他任意の開閉機能として電池交換可能に構成されることができる。
【００１９】
また、図９と図１０とは本考案の第一の実施形態にかかるコースターの使用態様を説明する図である。図９は周囲環境が明るい状態であり、図１０は周囲環境が暗い状態である。
【００２０】
（第二の実施形態）
図１１は、本考案の第二の実施形態を説明する発光ダイオードを消灯した状態の図であり、図１２は本考案の第二の実施形態を説明する発光ダイオードを点灯した状態の図である。
【００２１】
第二の実施形態では、グラス載置部１２００に刻印を記した点に特徴がある。当該刻印は、レーザ等を用いて作製することもできるし、彫刻等その他の任意の手法により作製できる。また、刻印を作製する位置も、グラス載置部１２００の上面や底面、側面に限定されるものではなく、その内部に三次元態様で設けることもできる。
【００２２】
発光ダイオード１３００の点灯により、刻印箇所では光の屈折や反射が生じるので、当該刻印の形状が浮き上がるように、または／および鮮やかに認識できるものとなる。グラス載置部１２００を取り替え可能にコースター１０００を構成して、それぞれのグラス載置部１２００に異なる刻印を施し、その場の利用状況に応じて取り替るものとしてもよい。
【００２３】
例えば、スポーツバーでサッカーの応援をする場合には、お気に入りサッカーチームのシンボルマークが刻印されたグラス載置部１２００をベース１１００に嵌め込んでこれを使用するものとできる。また、海外旅行客を相手に飲料提供する場合には、日本的なサムライの姿や和服姿の舞子さんを刻印したグラス載置部１２００を用いるなど、その場の雰囲気や環境に応じたものを適宜嵌め替えて使用することとできる。
【００２４】
本考案にかかるコースターは、表面に凹部を有するベースと、ベースの凹部に嵌合される導光性を有する透明部材からなるグラス載置部と、グラス載置部の辺縁部からグラス載置部内へ光を入射するように、凹部を形成するベースの内壁面に突出しないように配置された発光ダイオードと、ベースの底面に設けられて、上部からの押圧力によりオンとされて発光ダイオードを発光させるスイッチと、を備えることを特徴とする。
【００２５】
ベースは好ましくは木製であり、グラス載置部は好ましくはガラス製である。これにより、木枠の凹部に嵌め込まれたガラスに対し、辺縁部から発光ダイオードの光が入射されて、載置されているグラスやグラス内の飲料や氷等に反射し、装飾的な照明を演出する。
【００２６】
また、ベースの底部に設けられた押圧スイッチにより、グラスを載置していない時には、発光ダイオードが発光しないものとできるので、内蔵された電池等の無駄な消耗を低減できる。グラス載置部は、任意の厚さであって好ましくは５ｍｍ〜１ｃｍ程度の厚さを有する平板状のガラスを、木枠の凹部の形状に合わせて嵌り込むようにカットしたものとする。
【００２７】
木枠の凹部を形成する内壁面には発光ダイオードが埋め込まれているので、ガラスの端部であって当該内壁面と当接する面からガラス内に光が入射されるものとなる。ガラス内に入射された光は、複数回の反射を繰り返しながら、その一部が載置されたグラスに取り込まれ、さらにその一部がグラス内の飲料や氷に取り込まれて、雰囲気を醸し出す独特のイルミネーションを醸成する。グラス載置は、ガラス製に限定されるものではなくアクリル樹脂やその他の透明素材で形成することができる。また、ベースについても、木製に限定されるものではない。
【００２８】
また、本考案にかかるコースターは、好ましくは、ベースの上面とグラス載置部の上面とは、面一であることを特徴とする。これにより、上面においてガラス面と木枠面との段差が無くなり、見た目もすっきりスマートになり、実用上もグラスが引っかかる等のアクシデントがなくなり、取り扱いが容易となる。
【００２９】
発光ダイオードが点灯した場合には、グラス載置部の辺縁部や端部が、木製ベースに対してあたかも浮き上がったように観察されることも、魅力的なイルミネーションを演出する一つの理由である。ベースの凹部の形状は所定の深さ（例えば５ｍｍ〜１ｃｍ程度）を有する円形形状とし、これに嵌め込むグラス載置部も凹部の深さに対応する所定の厚さ（例えば５ｍｍ〜１ｃｍ程度）を有する円柱形状としてもよい。
【００３０】
また、木製のベースの外形形状は、上面から観察した場合に、円形であってもよく、星形であってもよく、三角形や四角形その他の多角形等であってもよく任意の形状とできる。同様に、ベースに設けられる凹部の形状及び該凹部に嵌め込まれるグラス載置部の外形形状は、上面から観察した場合に、円形であってもよく、星形であってもよく、三角形や四角形その他の多角形等であってもよく任意の形状とできる。
【００３１】
また、本考案にかかるコースターは、さらに好ましくは、グラス載置部は、発光ダイオードの光がその箇所で反射または屈折する任意の形状の刻印を備えることを特徴とする。グラス載置部内に入射された光は、端部や辺縁部等で複数回の反射・屈折を繰り返すが、その経路上に刻印が設けられている場合には、その刻印によりそこで反射や屈折をする。
【００３２】
これにより、上面やななめ上面から観察した場合には、その刻印の形状が鮮やかに浮き上がったかのように見えるものとなる。刻印の形状は、任意のロゴマークやお店やチームのマーク等であってもよい。一種の宣伝を兼ねたイルミネーションによる雰囲気を醸成できる。このような、刻印は、グラス載置部の上面や内部・底面等任意の箇所に設けることとできる。また、このような刻印は、平面状のみならずグラス載置部の厚さを活用して、三次元状に構成することができる。この場合には、発光ダイオードの点灯により、３Ｄ形状が浮かびあがってグラス載置部内に観察されるものとなる。
【００３３】
また、発光ダイオードの位置すなわち入射光の入射方向との関係で、刻印の溝を形成するテーパの角度を調整することにより、点灯する発光ダイオードの位置が変われば、浮き上がって観察される刻印形状が異なって見えるように構成してもよい。グラス載置部の周囲に複数の発光ダイオードを配置しておき、どれを点灯させるかにより、上面から観察される主たる刻印形状が異なるものとすることができる。このような観察される刻印の変化は、ランダムに変化させてもよく、時間経過とともに順次変化させてもよく、切り替えボタン等により切り替えるものとしてもよい。
【００３４】
また、本考案にかかるコースターは、さらに好ましくは、べースは、その内部に発光ダイオードの電源となる電池を収納可能な電池収納部を備えることを特徴とする。電池収納部に電池を収納しておくことで、発光ダイオードの点灯寿命を充分に確保することができる。電池収納部は、外部から開閉可能な構成とし、適宜電池を交換できるものとすることが好ましい。
【００３５】
また、本考案にかかるコースターは、さらに好ましくは、スイッチは、グラス載置部に搭載されたグラスの重さによりオンされた場合に、ベースの底面と面一となることを特徴とする。これにより、載置されたグラス等の安定性が増し、実用上もより使いやすいコースターとなるので好ましい。
【００３６】
本考案で示したコースター１０００は、上述の実施形態の具体的態様での説明に限定されるものではなく、本考案の思想の範囲内かつ自明な範囲内で自由にその構成や構造・形状・大きさ等を変更してもよい。
【符号の説明】
【００３７】
１０００・・コースター、１１００・・ベース、１２００・・グラス載置部、１３００・・発光ダイオード、１４００・・電池収納部、１４１０・・スイッチ、１４２０・・電池。
【図１】
0003202126.tif 000003
【図２】
0003202126.tif 000004
【図３】
0003202126.tif 000005
【図４】
0003202126.tif 000006
【図５】
0003202126.tif 000007
【図６】
0003202126.tif 000008
【図７】
0003202126.tif 000009
【図８】
0003202126.tif 000010
【図９】
0003202126.tif 000011
【図１０】
0003202126.tif 000012
【図１１】
0003202126.tif 000013
【図１２】
0003202126.tif 000014